【手続補正書】
【提出日】平成15年11月5日(2003.11.5)
【手続補正１】
【補正対象書類名】明細書
【補正対象項目名】発明の名称
【補正方法】変更
【補正の内容】
【発明の名称】ワークスペース管理装置及び管理方法
【手続補正２】
【補正対象書類名】明細書
【補正対象項目名】特許請求の範囲
【補正方法】変更
【補正の内容】
【特許請求の範囲】
【請求項１】
電子リソースの集合を管理するワークスペースを、複数のワークスペース間を関係付けて管理するワークスペース管理装置において、
複数のワークスペース間の関係情報を保持する関係管理手段と、
電子リソースを操作するアプリケーションのカットオペレーションを起動するカットオペレーション起動手段と、
電子リソースを操作するアプリケーションのペーストオペレーションを起動するペーストオペレーション起動手段と、
カットオペレーションにより切り取られた電子リソース中の一部分を保持するカットバッファと、
カットオペレーションを行った電子リソースの識別子を当該カットオペレーションにより切り取られた電子リソース部分に対応付けてカットバッファに記録するカット元リソース記録手段と、
カットバッファに保持された電子リソース部分をペーストオペレーションにより他のワークスペースに移動させるに伴って、当該電子リソース部分に付加された電子リソースの識別子に基づいて、カット元の電子リソースと当該電子リソース部分を移動させたペースト先のワークスペースとを関係付ける関係設定手段と、
を具備することを特徴とするワークスペース管理装置。
【請求項２】
電子リソースの集合を管理するワークスペースを、複数のワークスペース間を関係付けて管理するワークスペース管理装置において、
複数のワークスペース間の関係情報を保持する関係管理手段と、
電子リソースを操作するアプリケーションのカットオペレーションを起動するカットオペレーション起動手段と、
電子リソースを操作するアプリケーションのペーストオペレーションを起動するペーストオペレーション起動手段と、
カットオペレーションにより切り取られた電子リソース中の一部分を保持するカットバッファと、
カットオペレーションを行った電子リソースを含んでいるワークスペースの識別子を当該カットオペレーションにより切り取られた電子リソース部分に対応付けてカットバッファに記録するカット元ワークスペース記録手段と、
カットバッファに保持された電子リソース部分をペーストオペレーションにより他のワークスペースに移動させるに伴って、当該電子リソース部分に付加されたワークスペースの識別子に基づいて、当該リソース部分を切り取ったカット元のワークスペースと当該電子リソース部分を移動させたペースト先のワークスペースとを関係付ける関係設定手段と、
を具備することを特徴とするワークスペース管理装置。
【請求項３】
電子リソースの集合を管理するワークスペースを、複数のワークスペース間を関係付けて管理するワークスペース管理装置において、
複数のワークスペース間の関係情報を保持する関係管理手段と、
電子リソースを操作するアプリケーションのコピーオペレーションを起動するコピーオペレーション起動手段と、
電子リソースを操作するアプリケーションのペーストオペレーションを起動するペーストオペレーション起動手段と、
コピーオペレーションにより複写された電子リソース中の一部分を保持するコピーバッファと、
コピーオペレーションを行ったコピー元の電子リソースの識別子を当該コピーオペレーションにより複写された電子リソース部分に対応付けてコピーバッファに記録するコピー元リソース記録手段と、
コピーバッファに保持された電子リソース部分をペーストオペレーションにより他のワークスペースに移動させるに伴って、当該電子リソース部分に付加された電子リソースの識別子に基づいて、当該電子リソース部分のコピー元電子リソースと当該リソース部分を移動させたコピー先のワークスペースとを関係付ける関係設定手段と、
を具備することを特徴とするワークスペース管理装置。
【請求項４】
電子リソースの集合を管理するワークスペースを、複数のワークスペース間を関係付けて管理するワークスペース管理装置において、
複数のワークスペース間の関係情報を保持する関係管理手段と、
電子リソースを操作するアプリケーションのコピーオペレーションを起動するコピーオペレーション起動手段と、
電子リソースを操作するアプリケーションのペーストオペレーションを起動するペーストオペレーション起動手段と、
コピーオペレーションにより複写された電子リソース中の一部分を保持するコピーバッファと、
コピーオペレーションを行ったコピー元の電子リソースを含むワークスペースの識別子を当該コピーオペレーションにより複写された電子リソース部分に対応付けてコピーバッファに記録するコピー元ワークスペース記録手段と、
コピーバッファに保持された電子リソース部分をペーストオペレーションにより他のワークスペースに移動させるに伴って、当該電子リソース部分に付加されたワークスペースの識別子に基づいて、当該電子リソース部分のコピー元電子リソースを含むワークスペースと当該電子リソース部分を移動させたコピー先のワークスペースとを関係付ける関係設定手段と、
を具備することを特徴とするワークスペース管理装置。
【請求項５】
電子リソースの集合を管理するワークスペースを、複数のワークスペース間を関係付けて管理するワークスペース管理方法において、
カットバッファが、電子リソースを操作するアプリケーションのカットオペレーションにより切り取られた電子リソース中の一部分を保持し、
カット元リソース記録手段が、カットオペレーションを行った電子リソースの識別子を当該カットオペレーションにより切り取られた電子リソース部分に対応付けてカットバッファに記録し、
電子リソースを操作するアプリケーションのペーストオペレーションによりカットバッファに保持された電子リソース部分を他のワークスペースに移動させるに伴って、関係設定手段が、当該電子リソース部分に付加された電子リソースの識別子に基づいて、カット元の電子リソースと当該電子リソース部分を移動させたペースト先のワークスペースとを関係付け、
関係管理手段が、関係設定手段により生成されたワークスペース間の関係情報を保持することを特徴とするワークスペース管理方法。
【請求項６】
電子リソースの集合を管理するワークスペースを、複数のワークスペース間を関係付けて管理するワークスペース管理方法において、
カットバッファが、電子リソースを操作するアプリケーションのカットオペレーションにより切り取られた電子リソース中の一部分を保持し、
カット元ワークスペース記録手段が、カットオペレーションを行った電子リソースを含んでいるワークスペースの識別子を当該カットオペレーションにより切り取られた電子リソース部分に対応付けてカットバッファに記録し、
電子リソースを操作するアプリケーションのペーストオペレーションによりカットバッファに保持された電子リソース部分を他のワークスペースに移動させるに伴って、関係設定手段が、当該電子リソース部分に付加されたワークスペースの識別子に基づいて、当該リソース部分を切り取ったカット元のワークスペースと当該電子リソース部分を移動させたペースト先のワークスペースとを関係付け、
関係管理手段が、関係設定手段により生成されたワークスペース間の関係情報を保持することを特徴とするワークスペース管理方法。
【請求項７】
電子リソースの集合を管理するワークスペースを、複数のワークスペース間を関係付けて管理するワークスペース管理方法において、
コピーバッファが、電子リソースを操作するアプリケーションのコピーオペレーションにより複写された電子リソース中の一部分を保持し、
コピー元リソース記録手段が、コピーオペレーションを行ったコピー元の電子リソースの識別子を当該コピーオペレーションにより複写された電子リソース部分に対応付けてコピーバッファに記録し、
電子リソースを操作するアプリケーションのペーストオペレーションによりコピーバッファに保持された電子リソース部分を他のワークスペースに移動させるに伴って、関係設定手段が、当該電子リソース部分に付加された電子リソースの識別子に基づいて、当該電子リソース部分のコピー元電子リソースと当該リソース部分を移動させたコピー先のワークスペースとを関係付け、
関係管理手段が、関係設定手段により生成されたワークスペース間の関係情報を保持することを特徴とするワークスペース管理方法。
【請求項８】
電子リソースの集合を管理するワークスペースを、複数のワークスペース間を関係付けて管理するワークスペース管理方法において、
コピーバッファが、電子リソースを操作するアプリケーションのコピーオペレーションにより複写された電子リソース中の一部分を保持し、
コピー元ワークスペース記録手段が、コピーオペレーションを行ったコピー元の電子リソースを含むワークスペースの識別子を当該コピーオペレーションにより複写された電子リソース部分に対応付けてコピーバッファに記録し、
電子リソースを操作するアプリケーションのペーストオペレーションによりコピーバッファに保持された電子リソース部分を他のワークスペースに移動させるに伴って、関係設定手段が、当該電子リソース部分に付加されたワークスペースの識別子に基づいて、当該電子リソース部分のコピー元電子リソースを含むワークスペースと当該電子リソース部分を移動させたコピー先のワークスペースとを関係付け、
関係管理手段が、関係設定手段により生成されたワークスペース間の関係情報を保持することを特徴とするワークスペース管理方法。
【手続補正３】
【補正対象書類名】明細書
【補正対象項目名】０００１
【補正方法】変更
【補正の内容】
【０００１】
【発明の属する技術分野】
本発明は、電子文書やツール等言った種々な電子リソースの集合を維持・管理する機能を提供するワークスペースを複数関連付けて管理するワークスペース管理装置及び管理方法に関し、特に、或るワークスペースに含まれるリソースの一部を他のワークスペースで利用するコマンド実行時に、これらワークスペースや電子リソースを関係付けることによって、暗黙的な操作からワークスペース間の関係を構築して管理する装置及び管理方法に関する。


【手続補正４】
【補正対象書類名】明細書
【補正対象項目名】０００７
【補正方法】変更
【補正の内容】
【０００７】
このような実際の作業状況に照らしてみると、上記の発明にあっては、電子リソースの一部分だけを他のワークスペースで利用すると言う暗黙的な操作によっては利用元と利用先のワークスペース間の関係付けを管理することができないと言う課題があった。
本発明はこのような従来の事情に鑑みてなされたもので、ワークスペース間にまたがる電子リソースの一部分の利用によっても、これらワークスペース間の関係付けを構築して管理することができるワークスペース管理装置及び管理方法を提供することを目的とする。